(57)【要約】【課題】被乾燥対象に温風を当たりやすくすることにより、乾燥性能の向上を図ること。【解決手段】本体２００の洗浄ノズル１０４の側方に設けた乾燥装置７００は、ケーシング７０１の湾曲部７０７に断面が複数の略円形の風向変更柱７０４を備えた風向変更ユニット７１０と回動機構７１１を設置することにより、風路の湾曲部７０７で曲線流が形成された温風は、風向変更柱７０４に当たることで、わずかな抵抗により風向を変更することができるとともに、回動機構７１１により噴出方向を変更することが可能となり、お尻洗浄とビデ洗浄では異なる被乾燥位置に個別に対応することが可能となり、更に風向変更柱７０４の下流で温風に発生するカルマン渦により温風の温度ムラがなくなるため、乾燥性能を向上することができる。【選択図】図９
2011099254.tif 000002
【特許請求の範囲】
【請求項１】
便器の上面後方に設置する本体と、
前記本体の前面に倒立自在に枢支した便座と、
前記本体の略中央に設け、前記便座に着座した使用者のお尻洗浄とビデ洗浄とを行う進退可能な洗浄ノズルと、
前記本体の前記洗浄ノズルの側方に設けた乾燥装置と、
前記洗浄ノズルと前記乾燥装置を操作する操作部と、
前記操作部の操作信号により前記洗浄ノズルと乾燥装置とを制御する制御部とを含み、
前記乾燥装置は、内部に風路を形成するケーシングとファンモータとヒータユニットと断面が略円形の風向変更柱を複数個備えた風向変更ユニットと、前記風向変更ユニットを所定角度に回動する回動機構とを備え、
前記ケーシングは、前記本体内に吸気口を開口し、前記本体の前面下部に噴出口を開口し、
前記吸気口側から、前記ファンモータと、前記ヒータユニットと、前記風向変更ユニットとを順次配設し、
前記ケーシングは、少なくとも前記ヒータユニットの配設位置より噴出口側の風路に、前記本体の側方より中央に向かう湾曲部を形成し、
前記風向変更ユニットは、前記湾曲部に設置し、
前記制御部が前記回動機構を制御して前記風向変更ユニットの角度を変更することにより、前記噴出口から噴出する温風の噴出方向を変更することが可能な衛生洗浄装置。
【請求項２】
前記制御部は、前記お尻洗浄後の乾燥に対応する前記風向変更ユニットの第１の所定角度と、前記ビデ洗浄後の乾燥に対応する前記風向変更ユニットの第２の所定角度とを予め備え、
使用者がお尻洗浄の後に乾燥の操作を行った場合は、前記制御部は前記回動機構を駆動して前記風向変更ユニットを前記第１の所定角度に制御し、
使用者がビデ洗浄後に乾燥の操作を行った場合は、前記制御部は前記回動機構を駆動して前記風向変更ユニットを前記第２の所定角度に制御することを特徴とする請求項１に記載の衛生洗浄装置。
【請求項３】
使用者がお尻洗浄またはビデ洗浄に引き続き、所定時間以内にもう一方の洗浄を開始し、両方の洗浄が終了した後、使用者が乾燥の操作を行った場合は、
前記制御部は前記第１の所定角度と前記第２の所定角度を周期的に変化するように前記回動機構を駆動する請求項２に記載の衛生洗浄装置。
【請求項４】
前記操作部は調整スイッチを備え、
使用者が前記調整スイッチを操作することにより、前記風向変更ユニットの角度を任意に変更可能な請求項１〜２のいずれか１項に記載の衛生洗浄装置。
【発明の詳細な説明】
【技術分野】
【０００１】
本発明は乾燥装置を備えた衛生洗浄装置に関するものである。
【背景技術】
【０００２】
従来、この種の衛生洗浄装置は、便器上に設置した衛生洗浄装置本体の中央に使用者の局部を洗浄する洗浄ノズルと、洗浄ノズルの側方に洗浄水で濡れた局部を温風で乾燥する乾燥装置を配置し、便座に着座した使用者の斜め後方より局部に向けて温風を噴出する構成であり、噴出する温風の噴出方向を制御方法としては、通風路の吹出口の近傍にフィンを配設し、フィンに沿って温風を流すことによって風向を制御している。また、フィンの角度を変更することにより温風の吹出し方向を変更している（例えば、特許文献１参照）。
【０００３】
図１０は、特許文献１に記載された従来の衛生洗浄装置を示すものである。図１０に示すように、衛生洗浄装置の本体１の中央部に２本の洗浄ノズル２が設置してあり、前記洗浄ノズル２の側方に乾燥装置３が設置してある。乾燥装置３はファンケーシング４と、シロッコファンからなるファンモータ５と、電熱ヒータ（図示せず）と、ファンケーシング４の吹出口近傍の通風路に配設した複数のフィン６と、フィン６の角度を変更する駆動モータ７から構成されており、駆動モータ７でフィン６の角度を変更することにより温風の吹出方向を変更するようになっている。
【先行技術文献】
【特許文献】
【０００４】
【特許文献１】特開平８−１８４０８８号公報
【発明の概要】
【発明が解決しようとする課題】
【０００５】
しかしながら、前記従来の構成では、ファンケーシング４の通風路に複数のフィン６を設置した構成であるため、フィン６は通風路の大きな抵抗となるため、温風の風力が低下し、乾燥能力を低下させるものである。
【０００６】
また、フィン６は吹出口に設置したものであり、吹出口から吹出す温風はフィン６の方向に倣って直線的に吹出するものとなり、被乾燥対象である肛門や局部の方向に直進することとなる。しかし、被乾燥対象である肛門や局部はお尻の凹部にあるため、斜め後方から噴出する温風はお尻の凸部に遮られ直接当たりにくく、十分な乾燥性能が得にくいものである。
【０００７】
また、本先行技術文献の風向変更機能は、主に一箇所に温風が連続して当たることを避けるために風向きを周期的に変更するものであり、結果的に必要以上の広い範囲に温風を送風しており、エネルギー効率と乾燥効率の面から改良の余地があった。
【０００８】
本発明は、前記従来の課題を解決するもので、通風路の抵抗を低減し温風の風力の低下を抑制し、しかも温風が噴出後に曲線的に通風することによりお尻の凹部に沿って通風されやすく被乾燥対象に直接当たりやすくするとともに、お尻洗浄またはビデ洗浄で濡れたそれぞれの被乾燥位置に集中的に温風を自動的に供給することにより乾燥性能と使い勝手を向上した快適な衛生洗浄装置を提供することを目的とする。
【課題を解決するための手段】
【０００９】
前記従来の課題を解決するために、本発明の衛生洗浄装置は、便器の上面後方に設置する本体と、本体の前面に倒立自在に枢支した便座と、本体の略中央に設け、前記便座に着座した使用者のお尻洗浄とビデ洗浄とを行う進退可能な洗浄ノズルと、本体の洗浄ノズルの側方に設けた乾燥装置と、洗浄ノズルと乾燥装置を操作する操作部と、操作部の操作信号により洗浄ノズルと乾燥装置とを制御する制御部とを含み、乾燥装置は、内部に風路を形成するケーシングとファンモータとヒータユニットと断面が略円形の風向変更柱を複数個備えた風向変更ユニットと、風向変更ユニットを所定角度に回動する回動機構とを備え、ケーシングは、本体内に吸気口を開口し、本体の前面下部に噴出口を開口し、吸気口側から、ファンモータと、ヒータユニットと、風向変更ユニットとを順次配設し、ケーシングは、少なくとも前記ヒータユニットの配設位置より噴出口側の風路に、本体の側方より中央に向かう湾曲部を形成し、風向変更ユニットは、湾曲部に設置し、制御部が前記回動機構を制御して風向変更ユニットの角度を変更することにより、噴出口から噴出する温風の噴出方向を変更することが可能としたものである。
【００１０】
これにより、ファンモータにより送風され、ヒータユニットで加熱された温風は、風路の湾曲部で曲線流が形成され、曲線流が断面略円形の風向変更柱に当たることにより、風向変更柱の下流にカルマン渦が発生することにより、逆方向の湾曲成分が発生するために、温風は風向変更柱の下流側は上流側より前方向に風向が変更されるとともに、温風自体に渦流成分が付加されることにより、噴出口より噴出した後も風向変更成分を維持することが可能となり、更にカルマン渦により温風温度の均熱化が可能となり、略円形の風向変更柱のわずかな抵抗により風向を変更することができるとともに、噴出後の温風はお尻の凹部に沿って流れやすくなり、更に温風温度の温度ムラがなくなるため、乾燥性能を向上することができる。また、前記風向変更ユニットの角度を変更することにより、温風の噴出方向を変更することが可能となるので、洗浄水が付着する位置（被乾燥位置）がお尻洗浄とビデ洗浄とで異なることに対応して、最適な噴出方向に温風を噴出することが可能となるため、乾燥性能を一層向上することができる。
【発明の効果】
【００１１】
本発明の衛生洗浄装置は、乾燥装置の乾燥性能と使い勝手を向上することができる。
【図面の簡単な説明】
【００１２】
【図１】本発明の実施の形態１における衛生洗浄装置を便器上に設置した状態の外観を示す斜視図
【図２】本発明の実施の形態１における衛生洗浄装置の本体のカバーをはずした状態の平面図
【図３】本発明の実施の形態１における乾燥装置の外観の斜視図
【図４】本発明の実施の形態１における乾燥装置を側方から見た断面図
【図５】本発明の実施の形態１における乾燥装置の内部を示す平面図
【図６】本発明の実施の形態１における風向変更柱付近の温風の流れを示す模式図
【図７】本発明の実施の形態１における衛生洗浄装置の温風の流れを示す模式図
【図８】本発明の実施の形態２における乾燥装置を側方から見た断面図
【図９】本発明の実施の形態２における乾燥装置の内部を示す平面図
【図１０】従来の衛生洗浄装置の平面図
【発明を実施するための形態】
【００１３】
第１の発明は、便器の上面後方に設置する本体と、前記本体の前面に倒立自在に枢支した便座と、前記本体の略中央に設け、前記便座に着座した使用者のお尻洗浄とビデ洗浄とを行う進退可能な洗浄ノズルと、前記本体の前記洗浄ノズルの側方に設けた乾燥装置と、前記洗浄ノズルと前記乾燥装置を操作する操作部と、前記操作部の操作信号により前記洗浄ノズルと乾燥装置とを制御する制御部とを含み、前記乾燥装置は、内部に風路を形成す
るケーシングとファンモータとヒータユニットと断面が略円形の風向変更柱を複数個備えた風向変更ユニットと、前記風向変更ユニットを所定角度に回動する回動機構とを備え、前記ケーシングは、前記本体内に吸気口を開口し、前記本体の前面下部に噴出口を開口し、前記吸気口側から、前記ファンモータと、前記ヒータユニットと、前記風向変更ユニットとを順次配設し、前記ケーシングは、少なくとも前記ヒータユニットの配設位置より噴出口側の風路に、前記本体の側方より中央に向かう湾曲部を形成し、前記風向変更ユニットは、前記湾曲部に設置し、前記制御部が前記回動機構を制御して前記風向変更ユニットの角度を変更することにより、前記噴出口から噴出する温風の噴出方向を変更することが可能としたものである。
【００１４】
これにより、ファンモータにより送風され、ヒータユニットで加熱された温風は、風路の湾曲部で曲線流が形成され、曲線流が断面略円形の風向変更柱に当たることにより、風向変更柱の下流にカルマン渦が発生することにより、逆方向の湾曲成分が発生するために、温風は風向変更柱の下流側は上流側より前方向に風向が変更されるとともに、温風自体に渦流成分が付加されることにより、噴出口より噴出した後も風向変更成分を維持することが可能となり、更にカルマン渦により温風温度の均熱化が可能となり、略円形の風向変更柱のわずかな抵抗により風向を変更することができるとともに、噴出後の温風はお尻の凹部に沿って流れやすくなり、更に温風温度の温度ムラがなくなるため、乾燥性能を向上することができる。また、前記風向変更ユニットの角度を変更することにより、温風の噴出方向を変更することが可能となるので、洗浄水が付着する位置（被乾燥位置）がお尻洗浄とビデ洗浄とで異なることに対応して、最適な噴出方向に温風を噴出することが可能となるため、乾燥性能を一層向上することができる。
【００１５】
第２の発明は、特に、第１の発明において、前記制御部は、前記お尻洗浄後の乾燥に対応する前記風向変更ユニットの第１の所定角度と、前記ビデ洗浄後の乾燥に対応する前記風向変更ユニットの第２の所定角度とを予め備え、使用者がお尻洗浄の後に乾燥の操作を行った場合は、前記制御部は前記回動機構を駆動して前記風向変更ユニットを前記第１の所定角度に制御し、使用者がビデ洗浄後に乾燥の操作を行った場合は、前記制御部は前記回動機構を駆動して前記風向変更ユニットを前記第２の所定角度に制御することにより、お尻洗浄とビデ洗浄により洗浄水により濡れる位置が異なることを認知して、温風の噴出し方向を自動的に変更することで乾燥効率と使い勝手を向上することができる。
【００１６】
第３の発明は、特に第２の発明において、使用者がお尻洗浄またはビデ洗浄に引き続き、所定時間以内にもう一方の洗浄を開始し、両方の洗浄が終了した後、使用者が乾燥の操作を行った場合は、前記制御部は前記第１の所定角度と前記第２の所定角度を周期的に変化するように前記回動機構を駆動することにより、お尻洗浄とビデ洗浄で濡れた広い範囲を自動的に均等に乾燥することができるので、使い勝手を一層向上することができる。
【００１７】
第４の発明は、特に第１〜３のいずれか１つの発明において、前記操作部は調整スイッチを備え、使用者が前記調整スイッチを操作することにより、前記風向変更ユニットの角度を任意に変更可能とすることにより、使用者の体形や好みにより、温風の噴出方向を任意の方向に微調整することができ、より乾燥効率と使い勝手を向上することができる。
【００１８】
以下、本発明の実施の形態について、図面を参照しながら説明する。なお、この実施の形態によって本発明が限定されるものではない。
【００１９】
（実施の形態１）
図１は本実施の形態における衛生洗浄装置を便器上に設置した状態の外観の斜視図を示し、図２は衛生洗浄装置の本体のカバーをはずした状態の平面図を示し、図３は本発明の実施の形態１における乾燥装置の外観の斜視図を示すものである。
【００２０】
＜１＞衛生洗浄装置の構成
図１に示すように、衛生洗浄装置１００は、本体２００、便蓋３００、便座４００により構成され、本体２００、便蓋３００、便座４００は一体で構成され便器６００の上面に設置される。
【００２１】
本体２００には、便蓋３００および便座４００が便座便蓋回動機構（図示せず）を介して開閉可能に取り付けられている。図１に示すように便蓋３００を開放した状態においては、便蓋３００は衛生洗浄装置１００の最後部に位置するように起立する。また、便蓋３００を閉成すると便座４００の上面を隠蔽する。便座４００は便座ヒータ（図示せず）を内蔵しており、便座の着座面が快適な温度になるように加熱する。
【００２２】
なお、本実施の形態においては衛生洗浄装置１００の本体２００の設置側を後方、便座４００の設置側を前方として各要素の配置を説明する。
【００２３】
また図１に示すように、本体２００の側部には突出部２０１が設けてあり、突出部２０１の上面には複数の操作スイッチ２０２を備えた操作部２０３が設けられている。また本体２００の前面コーナー部には着座センサ２０４が設置してある。この着座センサ２０４は反射型の赤外線センサであり、センサから赤外線を放射し、人体で反射した赤外線を検出することにより、便座４００に着座した使用者を検知する。
【００２４】
図２は本体２００のカバーを取り外した状態を示すものであり、本体２００の内部には、本体２００の中央部には洗浄ノズルユニット１０３が設置してあり、本体２００の一方の側部には、洗浄水供給機構１０１と熱交換器１０２等が設置してある。また、本体２００の他方の側部には乾燥装置７００と脱臭装置８００と制御部９００等が設置してある。
【００２５】
洗浄水供給機構１０１と熱交換器１０２は洗浄ノズルユニット１０３に接続されており、水道配管から供給される洗浄水を熱交換器１０２で加熱した温水を洗浄ノズルユニット１０３に供給し、洗浄ノズルユニット１０３から使用者の局部に向けて温水を噴出し、使用者の局部を洗浄するものである。
【００２６】
洗浄ノズルユニット１０３は、お尻を洗浄するお尻洗浄ノズル部と女性の局部を洗浄するビデノズル部を有する洗浄ノズル１０４と、洗浄ノズルを本体２００内に収容した収納位置と本体２００から突出して洗浄動作を行う洗浄位置との間を進退移動する駆動手段（図示せず）と、熱交換器１０２からの洗浄水を洗浄ノズルに切換えて供給する切換弁（図示せず）等が一体に組み込まれている。そのため、洗浄ノズルユニット１０３の先端部（前方）は幅が狭いが後方部幅が広くなっている。そして、洗浄ノズルユニット１０３は、使用者の局部洗浄を正確に行うために本体２００内部の中央に配置されている。
【００２７】
乾燥装置７００は、洗浄ノズルユニット１０３に近接して設置されている。乾燥装置７００の噴出口７０６は、洗浄ノズルユニット１０３と同様に使用者の局部を効果的に乾燥するため可能な限り本体２００の中央に配置することが望ましく、洗浄ノズルユニット１０３の横幅に対応して、ケーシングの前方を中央に向けて湾曲させた形状を成している。
【００２８】
乾燥装置７００の後方には制御部９００が、側方には脱臭装置８００が設置されている。脱臭装置８００は、便器６００内の臭気を吸引するために、吸込口８０１を本体２００の中央に向けて湾曲させて設けてある。
【００２９】
制御部９００は、衛生洗浄装置１００の各機能の操作を行う操作スイッチ２０２および着座センサ２０４から送信される信号に基づいて、衛生洗浄装置１００の各部の動作を制
御する。
【００３０】
＜２＞乾燥装置の構成
図３は本実施の形態１における乾燥装置の外観を示す斜視図であり、図４は本実施の形態における乾燥装置の側方から見た断面図であり、図５は乾燥装置の内部構造を示す平面図であり、図６は風向変更柱付近の温風の流れを示す模式図であり、図７は本実施の形態における衛生洗浄装置の温風の流れを示す模式図である。
【００３１】
図３、図４、図５に示すように、乾燥装置７００は、内部に風路を形成するケーシング７０１と、ファンモータ７０２と、ヒータユニット７０３と、風向変更柱７０４と、乾燥シャッター７０８を主な構成部材として構成されている。
【００３２】
ケーシング７０１は難燃性樹脂で成型した上ケース７０１ａと下ケース７０１ｂを上下に結合して内部にトンネル状の空洞部を形成しており、後端は略正方形の吸気口７０５が開口しており、前端は略長方形の噴出口７０６が開口している。ケーシング７０１の吸気口７０５は衛生洗浄装置１００の本体２００内に配置し、噴出口７０６は本体２００の前面下部に配置されている。
【００３３】
図３、図４に示すように、乾燥装置７００の噴出口７０６には開閉自在な乾燥シャッター７０８を備えており、乾燥装置７００を使用しないときは、乾燥シャッター７０８は閉成して排便時の汚物や洗浄水が噴出口７０６に直接かからない構成となっており、乾燥装置７００の使用時には風圧により開放される構成となっている。また、乾燥シャッター７０８は汚れが付着した時には洗浄ができるよう、着脱可能な構成となっている。
【００３４】
図に示すように、ケーシング７０１の内部には、吸気口７０５側からファンモータ７０２と、ヒータユニット７０３と、風向変更柱７０４とが順次配置されている。ケーシング７０１で形成される風路はファンモータ７０２の設置位置より噴出口７０６側は断面積が順次減少するように形成されている。
【００３５】
図４に示すように、立面的にはファンモータ７０２の設置位置より噴出口７０６側は、下方に向かって傾斜して噴出口７０６の直近で略水平となる風路を形成している。また、図５に示すように、平面的にはヒータユニット７０３の設置位置より噴出口７０６側は、本体２００の側方より中央に向かって湾曲した湾曲部７０７を形成しており、風向変更柱７０４は湾曲部７０７に設置されている。
【００３６】
ケーシング７０１の吸気口７０５に近接して軸流式のファンモータ７０２が配置してある。ファンモータ７０２は、上ケース７０１ａと下ケース７０１ｂで水平に挟持されている。上ケース７０１ａと下ケース７０１ｂは共にファンモータ７０２の設置位置より噴出口７０６側で下方に向かって折り曲がっており、特に上ケース７０１ａの方が下ケース７０１ｂよりも大きく折り曲がっている。下ケース７０１ｂのファンモータ７０２の設置位置の底面は、噴出口７０６の上端よりも上側に位置する構成になっている。
【００３７】
折り曲がった上ケース７０１ａと下ケース７０１ｂの間にヒータユニット７０３が設置してある。ヒータユニット７０３はファンモータ７０２側の開口面積の方が噴出口７０６側より大きくなっている。
【００３８】
下ケース７０１ｂの湾曲部７０７には、直径約２ｍｍの風向変更柱７０４が約６ｍｍの等間隔で４本垂直方向に一体成型で立設されている。また、４本の風向変更柱７０４は、洗浄ノズル１０３に近い中央側がヒータユニット７０３寄りになるように、噴出口７０６に対して約３０度の角度を成して風向変更柱７０４が一直線上に並ぶように配置されてい
る。
【００３９】
ヒータユニット７０３は、加熱手段である約４００Ｗのヒータ線（図示せず）と、１１０℃で動作する温度ヒューズ７０３ａと、８６℃で動作するサーモスタットで構成されており、外郭をカバーマイカ７０３ｃで覆われている。
【００４０】
螺旋状に形成したヒータ線（図示せず）はカバーマイカ７０３ｃの内部の外周近傍に配置されており、ヒータ線（図示せず）の螺旋の中央部には、ファンモータ７０２に近い位置となる後方に温度ヒューズ７０３ａを、前方にサーモスタット７０３ｂが配置してある。ヒータ線（図示せず）と温度ヒューズ７０３ａとサーモスタット７０３ｂは電気的に直列に接続されている。
【００４１】
温度ヒューズ７０３ａとサーモスタット７０３ｂは内部の温度が異常に上昇するのを防止する温度過昇防止手段である。ファンモータ７０２が故障してロック状態となった場合等で異常上昇が発生した場合、第１のステップとして復帰型の温度過昇防止手段であるサーモスタット７０３ｂが先に作動してヒータへの通電を遮断するが、例えば、サーモスタット７０３ｂの故障等で作動しない場合には、第２ステップとして非復帰型の温度ヒューズ７０３ａが溶断してヒータ線（図示せず）への通電を遮断することにより、発煙や発火が発生しないようになっている。
【００４２】
以上のように構成された衛生洗浄装置について、以下その動作、作用を説明する。
【００４３】
使用者がトイレ室に入室し、着座センサ２０４が便座４００に着座した使用者を検知すると、操作スイッチ２０１により洗浄機能と乾燥機能の操作が可能となる。
【００４４】
使用者が用便終了後に、操作スイッチ２０２により洗浄操作を行うことにより、洗浄ノズル１０４が本体２００より進出し、洗浄水を噴出することにより使用者の局部を洗浄し、洗浄終了の操作により局部の洗浄は終了し、洗浄ノズル１０４は本体２００内に収納される。
【００４５】
次に、使用者が操作手段である操作スイッチ２０２により乾燥操作を行うと、制御部９００は乾燥装置７００のファンモータ７０２とヒータユニット７０３への通電を制御して乾燥動作を開始する。ファンモータ７０２が吸気口７０５より吸気した空気はヒータユニット７０３へ送風され、ヒータユニット７０３で加熱された温風は噴出口７０６より使用者の局部に向かって噴出し、洗浄で濡れた使用者の局部を乾燥する。
【００４６】
図６、７は温風の流れと目標位置Ａを示している。風路の湾曲部７０７で曲線流が形成され、曲線流が風向変更柱７０４に当たることにより、風向変更柱７０４の下流にカルマン渦が発生する。カルマン渦により温風には逆方向の湾曲成分が発生し、温風は風向変更柱７０４の下流側は上流側より湾曲度が軽減されるとともに、温風自体に渦流成分が付加される。渦流成分が付加されることにより、噴出口７０６より噴出した後も風向変更成分を維持することとなり、噴出後の温風は湾曲部７０７の湾曲とは逆方向のカーブを描くように目標位置に向かって流れる。
【００４７】
温風が逆方向のカーブを描くように流れることにより、着座した使用者の後方の中央寄りから前方に向かって流れることとなり、温風が使用者の局部がある臀部の凹部に沿って流れやすく、乾燥性能の向上に寄与する。
【００４８】
本実施の形態においては、噴出口７０６より噴出した温風の目標位置Ａは、図７に示すように便座４００の開口後端からの距離が約６５ｍｍから約２５ｍｍの範囲を設定してお
り、使用者が便座４００に着座した場合の局部の位置に対応している。
【００４９】
以上のように本実施の形態においては、４本の風向変更柱７０４を湾曲部７０７に一直線上に並ぶように設置したことにより、風向変更柱７０４のわずかな抵抗により風向を変更することができるとともに、湾曲成分を維持した噴出後の温風はお尻の凹部に沿って流れやすくなり、更に温風温度の温度ムラがなくなるため、乾燥性能を向上することができる。
【００５０】
なお、本実施の形態においては、湾曲部７０７に４本の風向変更柱７０４を設置したが、設置本数は４本に限るものではなく、１本でも風向変更の効果を発揮することは可能であるので、風向変更柱７０４の数と太さは随時変更して実施することが可能である。
【００５１】
また、本実施の形態においては、４本の風向変更柱７０４を噴出口７０６に対して約３０度傾斜して設置したが、設置角度は３０度に限定されるものではなく、便座４００の形状の違い等により目標位置が異なる場合は、他の設置角度を採用することが可能である。また、ケーシング７０１の形状が異なる場合は、別の設置角度の検討が必須である。
【００５２】
また、本実施の形態においては４本の風向変更柱７０４の太さは全て等しい直径２ｍｍとしたがこれに限るものではなく、これらの中の少なくとも１本の直径を異なるものとしてもよい。特に湾曲部７０７の最も中央側に配置する風向変更柱７０４の直径を大きくすることにより、中央側の風向が大きく変更されるため、噴出後の温風を集中させることができるため、目標位置に精度よく温風を到達させることができる。
【００５３】
また、本実施の形態においては、風向変更柱７０４は全てケーシング７０１の下ケース７０１ｂに一体で形成したが、これに限るものではなく、上ケース７０１ｂと一体に形成することも可能であり、またケーシング７０１とは別体で形成し、ケーシング７０１に設置してもよい。
【００５４】
（実施の形態２）
図８は本発明の実施の形態２における乾燥装置の側面から見た断面図であり、図９は乾燥装置の内部構造を示す平面図である。
【００５５】
本実施の形態が実施の形態１と異なるところは、４本の直径約２ｍｍの風向変更柱７０４を約６ｍｍの等間隔で平板状の基盤７０９に一体に設けた風向変更柱ユニット７１０を形成し、下ケース７０１ｂの下側にモータ（図示せず）と減速機構（図示せず）と回転角度検出手段（図示せず）を備えた回動機構７１１設置し、下ケース７０１ｂに設けた開口（図示せず）を介して風向変更ユニット７１０の回動軸（図示せず）を回動機構７１１に締結し、回動機構７１１により風向変更ユニット７１０回動することで風向変更柱７０４の角度を変更することが可能な構成としことである。これにより、制御部９００で回動機構７１１を制御することにより温風の噴出方向を自在に変更することを可能とした。
【００５６】
なお、実施の形態１と同一符号のものは同一構造を有し、説明は省略する。
【００５７】
以上のように構成された本実施の形態における衛生洗浄装置について、以下その動作、作用を説明する。
【００５８】
使用者が、洗浄ノズルユニット１０４のお尻洗浄ノズル部を使用するお尻洗浄を終了した後、操作スイッチ２０２により乾燥操作を行うと、制御部９００は乾燥装置７００のファンモータ７０２とヒータユニット７０３への通電を制御し乾燥動作を開始する。ファンモータ７０２が吸気口７０１より吸気した空気はヒータユニット７０３へ送風され、ヒー
タユニット７０３で加熱された温風は噴出口７０６より噴出され、洗浄で濡れた使用者の局部を乾燥する。
【００５９】
このとき、制御部９００は予め設定した制御条件により、風向変更ユニット７１０の風向変更柱７０４が噴出口７０６に対して約３０度の角度を成すように回動機構７１１の回転角度検出手段の信号により角度を制御し、噴出口７０６より噴出した温風は、実施の形態１と同様に、図７に示すように便座４００の開口後端からの距離が約６５ｍｍから約２５ｍｍの範囲目標位置に向けて温風を噴出する。
【００６０】
一方、使用者が、洗浄ノズルユニット１０４のビデ洗浄ノズル部を使用するビデ洗浄を終了した後、操作スイッチ２０２により乾燥操作を行うと、制御部９００は予め設定した制御条件により、風向変更ユニット７１０の風向変更柱７０４が噴出口７０６に対して約２９度の角度を成すように回動機構７１１の回転角度検出手段の信号により角度を制御し、噴出口７０６より噴出した温風は、お尻洗浄の場合より約１５ｍｍ前方となる便座４００の孔後端からの距離が約８０ｍｍから約２５ｍｍの範囲目標位置に向けて温風を噴出する。
【００６１】
また、使用者がお尻洗浄またはビデ洗浄を終了した後、所定時間以内（本実施の形態においては５秒間）に連続してもう一方の洗浄を開始し、お尻洗浄またはビデ洗浄を連続して行った後に、操作スイッチ２０１により乾燥操作を行うと、制御部９００は回動機構７１１を２９度から３０度の範囲で周期的に回動させ、温風をお尻洗浄とビデ洗浄の両方の目標位置に向けて周期的に変動させながら噴出する。
【００６２】
また、操作部２０３に設けた調整スイッチ（図示せず）を操作することにより、使用者が任意に風向変更ユニット７１０の角度を変更する調整機能を備えており、使用者の体形や好みにより、温風の噴出方向を任意の方向に微調整することができる。
【００６３】
以上のように、本実施の形態２における衛生洗浄装置は、お尻洗浄とビデ洗浄により洗浄水により濡れる位置が異なることを認知して、温風の噴出し方向を自動的に変更することで乾燥効率と使い勝手を向上することができる。
【００６４】
また、使用者の体形や好みに合わせて温風の噴出し方向を変更できるので、より乾燥効率を高めることができる。
【００６５】
なお、本実施の形態においては、風向変更柱ユニット７１０に４本の風向変更柱７０４を設置したが、設置本数は４本に限るものではなく、１本でも風向変更の効果を発揮することは可能であるので、風向変更柱７０４の数と太さは随時変更して実施することが可能である。
【００６６】
また、本実施の形態においては４本の風向変更柱７０４の太さは全て等しい直径２ｍｍとしたがこれに限るものではなく、これらの中の少なくとも１本の直径を異なるものとしてもよい。特に湾曲部７０７の最も中央側に配置する風向変更柱７０４の直径を大きくすることにより、中央側の風向が大きく変更されるため、噴出後の温風を集中させることができるため、目標位置に精度よく温風を到達させることができる。
【産業上の利用可能性】
【００６７】
以上のように、本発明にかかる衛生洗浄装置は、わずかな抵抗により風向の変更が可能となるので、他の送風機器の用途にも適用できる。
【符号の説明】
【００６８】
１００  衛生洗浄装置
１０４  洗浄ノズル
２００  本体
４００  便座
６００  便器
７００  乾燥装置
７０１  ケーシング
７０２  ファンモータ
７０３  ヒータユニット
７０４  風向変更柱
７０５  吸気口
７０６  噴出口
７０７  湾曲部
７１０  風向変更ユニット
７１１  回動機構
９００  制御部
【図１】
2011099254.tif 000003
【図２】
2011099254.tif 000004
【図３】
2011099254.tif 000005
【図４】
2011099254.tif 000006
【図５】
2011099254.tif 000007
【図６】
2011099254.tif 000008
【図７】
2011099254.tif 000009
【図８】
2011099254.tif 000010
【図９】
2011099254.tif 000011
【図１０】
2011099254.tif 000012